(57)【要約】      （修正有）【課題】ドリンク用カップを置いたままドリンクを注ぐことのできる利便性の他に、安定性・安全性・保温性にも優れたドリンク提供容器を提供する。【解決手段】コーヒー提供容器１は、容器本体１０と、コーヒーを充填した袋体２０を収納する収納スペース１５と、袋体２０に設けられた吐出部２１とコック１２を有する注ぎ口１１とを接続するための接続孔１７と、を備える。収納スペース１５の底部１６は、容器本体１０と載置面を同じくするコーヒーカップ６０の高さと同等又はそれよりも高い位置に設けられている。【選択図】図２
0003232948.tif 000002
【実用新案登録請求の範囲】
【請求項１】
ドリンクを複数杯のドリンク用カップに提供するドリンク提供容器であって、
当該ドリンク提供容器は、提供するドリンクを充填した袋体を収納する収納スペースと、袋体に設けられた吐出部とコックを有する注ぎ口とを接続するための接続孔と、を備える容器本体からなり、
収納スペースの底部は、容器本体と載置面を同じくするドリンク用カップの高さと同等又はそれよりも高い位置に設けられていることを特徴としたドリンク提供容器。
【請求項２】
接続孔に取り付けられた注ぎ口が、容器本体と載置面を同じくするドリンク用カップの高さよりも５ｍｍ〜５０ｍｍ高い位置に設けられていることを特徴とした請求項１記載のドリンク提供容器。
【請求項３】
収納スペースの内面は全て保温材で囲繞されていることを特徴とした請求項１又は２記載のドリンク提供容器。
【請求項４】
収納スペースの底部又は／及び収納スペース底部に配置された保温材を傾斜させ、収納スペースに収納された袋体の底面が注ぎ口に向かって低く傾斜するように設置されることを特徴とした請求項１から３のいずれかに記載のドリンク提供容器。
【考案の詳細な説明】
【技術分野】
【０００１】
本願考案は、ドリンクを複数杯のドリンク用カップに提供するドリンク提供容器（ドリンク提供タンク）に関するものである。
【背景技術】
【０００２】
会社での会議や屋外でのレクリエーションなどで複数人が集まり、皆でコーヒーなどのドリンクを飲みたい時がある。このような時に重宝なのが人数分以上のドリンクが入っているドリンク提供容器（ドリンク提供タンク）である。特許文献１には、この容器に真空断熱材を持たせた断熱コーヒー容器が開示されている。
【先行技術文献】
【特許文献】
【０００３】
【特許文献１】特開２００６−２３９１９８号公報
【非特許文献】
【０００４】
【非特許文献１】スターバックスの公式ホームページ「スターバックス  コーヒートラベラー」（URL：https://product.starbucks.co.jp/beverage/drip/4524785410183/）
【考案の概要】
【考案が解決しようとする課題】
【０００５】
しかし、特許文献１で開示されたような従来のコーヒー提供容器は、図５に図示するようにコーヒーの注ぎ口５１が容器本体５０の下端部に位置しているため、コーヒーカップ６０を置いたままコーヒーを注ぐことができない。
そのため、容器本体５０をテーブル７０等の端に置いて、コーヒーカップ６０を一方の手に持ち、もう一方の手で注ぎ口５１のコック５２を捻り、コーヒーカップ６０にコーヒーを注ぐ必要があった。
【０００６】
これであると、両手が塞がり、非常に不便であった。また、容器本体５０をテーブル７０等の端に置くので、容器本体５０の落下の心配もあった。
このような従来のコーヒー提供容器の欠点を補うように、注ぎ口が容器本体の下端部に位置しながらもコーヒーカップを置いたままコーヒーを注ぐことができるように、容器本体の底面に台座を取り付けて（ちょうど下駄を履かせるように）注ぎ口の位置を相対的に上へ上げるものが登場した（非特許文献１など）。
【０００７】
しかし、この容器本体の底面に台を取り付けるコーヒー提供容器は、どうしても安定性・安全性に欠けるきらいがある。
そこで、本願考案者は、コーヒーカップなどのドリンク用カップを置いたままコーヒーなどのドリンクを注ぐことのできる利便性の他に、安定性・保温性にも優れたドリンク提供容器の提供を目的として、本願考案を完成するに至った。
【課題を解決するための手段】
【０００８】
本願考案の第１の考案は、ドリンクを複数杯のドリンク用カップに提供するドリンク提供容器であって、当該ドリンク提供容器は、提供するドリンクを充填した袋体を収納する収納スペースと、袋体に設けられた吐出部とコックを有する注ぎ口とを接続するための接続孔と、を備える容器本体からなり、収納スペースの底部は、容器本体と載置面を同じくするドリンク用カップの高さと同等又はそれよりも高い位置に設けられていることを特徴としたものである。
本願考案の第２の考案は、接続孔に取り付けられた注ぎ口が、容器本体と載置面を同じくするドリンク用カップの高さよりも５ｍｍ〜５０ｍｍ高い位置に設けられていることを特徴とした同ドリンク提供容器である。
本願考案の第３の考案は、収納スペースの内面が全て保温材で囲繞されていることを特徴とした同ドリンク提供容器である。
本願考案の第４の考案は、収納スペースの底部又は／及び収納スペース底部に配置された保温材を傾斜させ、収納スペースに収納された袋体の底面が注ぎ口に向かって低く傾斜するように設置されることを特徴とした同ドリンク提供容器である。
【考案の効果】
【０００９】
本願考案に係るドリンク提供容器によれば、以下の効果を有する。
（１）ドリンク提供容器の容器本体は、提供するドリンクを充填した袋体を収納する収納スペースの底部を、容器本体と載置面を同じくするドリンク用カップの高さと同等又はそれよりも高い位置に設けていることで、注ぎ口の位置をドリンク用カップを置いたままそのドリンク用カップにドリンクを注ぐことができるので、非常に便利であり、安全である。
（２）また、ドリンク提供容器の容器本体は一体化されているので（非特許文献１のように容器本体と台が別々になっていない）、安定性・安全性がある。
（３）ドリンクの充填された袋体を収納する収納スペースの内面は全て保温材で囲繞されていることで、袋体に充填されたドリンクの温度が適温に維持されるので、ホットドリンク又はコールドドリンクを適温で長時間提供できる。
（４）収納スペースの底部又は／及び収納スペース底部に配置された保温材を傾斜させて、収納スペースに収納された袋体の底面を注ぎ口に向かって低く傾斜するように設置することで、袋体に充填されたドリンクをそのままの状態で確実に注ぎ出すことができるようになる。
【図面の簡単な説明】
【００１０】
【図１】本願考案に係る「コーヒー提供容器」を説明する説明図（１）。
【図２】本願考案に係る「コーヒー提供容器」を説明する説明図（２）。
【図３】本願考案に係る「コーヒー提供容器」を説明する説明図（３）。
【図４】本願考案に係る「コーヒー提供容器」を説明する説明図（４）。
【図５】従来技術を説明する説明図。
【考案を実施するための形態】
【００１１】
本願考案に係る「ドリンク提供容器」をコーヒーを提供する「コーヒー提供容器」として図１及び図２に基づいて説明する。
まず、図１は、コーヒー提供容器１の外観を図示したものであるが（コーヒー提供容器１のサイズは、例えば、高さ３１５ｍｍ、横１９０ｍｍ、奥行１６０ｍｍであるが、これに限るものではない。）、コーヒー提供容器１は、複数杯分のコーヒーの収納された容器本体１０にコック１２を有する注ぎ口１１が取り付けられて、コーヒーカップ６０の上方５ｍｍ〜５０ｍｍ高い位置にある。よって、コーヒーカップ６０を置いたまま、コック１２をひねり注ぎ口１１からコーヒーを注ぐことができる。
【００１２】
コーヒーカップ６０を置いたままコーヒーを注ぐことができるので、両手が空き手間がかからない。また、容器本体１０をテーブル７０等の端に置く必要が無いので、落下の危険性も少なく安全である。さらに、コーヒー提供容器１は、容器本体１０の単体からなるので、安定性がある。特に、コーヒーの収納されるスペースが下端部側にはなく（図２を参照）、重心が下側にはないので、安定性を欠くおそれもあるが、容器本体１０は一体化された単体であるので、安定性にも優れている。
【００１３】
次に、図２は、コーヒー提供容器１の内部を図示したものであるが、コーヒー提供容器１は、提供するコーヒーを充填した袋体２０を収納する収納スペース１５を備える。
また、袋体２０に設けられた吐出部２１とコック１２を有する注ぎ口１１とを接続するための接続孔１７を備える。
【００１４】
収納スペース１５は、その底部１６を、容器本体１０と載置面（テーブル７０）を同じくするコーヒーカップ６０の高さと同等又はそれよりも高い位置に設けている。これによって、注ぎ口１１の位置を高くできて、コーヒーカップ６０を置いたままそのコーヒーカップ６０にコーヒーを注ぐことができる。また、収納スペース１５の底部１６が高い位置にあると、容器本体１０を傾けなくても袋体２０に充填されたコーヒーを全て注ぎ出すことができて、コーヒーの残留を無くすことができる。さらに、収納スペース１５に収納された袋体２０の底面２２が、注ぎ口１１に向かって低く傾斜するように設置されている。これによって、より確実に袋体２０に充填されたコーヒーを全て注ぎ出すことができるようになる。なお、図示では、収納スペース１５の底部１６自体を傾斜させているが、底部１６を水平のままに次に説明する保温材３０を台形状（縦断面）にすることでこの傾斜を形成してもよい（勿論、底部１６と保温材３０の両方で傾斜を形成してもよい）。
【００１５】
収納スペース１５は、その内面（６面）が全て保温材３０（例えば、「ワンダーエコ：登録商標」など）で囲繞されている。
これによって、ホットコーヒー又はアイスコーヒーを適温で提供できる。
図３は、コーヒー提供容器１と他社製品でホットコーヒーを提供する場合の保温能力を比較調査した結果であるが、コーヒー提供容器１では３時間経っても６４．３度であり、長時間の間、温かく飲用できる。一方、他社製品では急激に冷めて適温時間が短い。
図４は、コーヒー提供容器１と他社製品でアイスコーヒーを提供する場合の保冷能力を比較調査した結果であるが、コーヒー提供容器１では３時間経っても７．８度であり、長時間の間、冷たく飲用できる。一方、他社製品では２度以上ぬるくなってしまう。
この図３及び図４の結果から、コーヒー提供容器１の保温・保冷性能の高さが立証された。
【００１６】
なお、図示省略するが、容器本体１０の上面（天面）に把手を備えてもよい。持ち運びが容易になるからである。
また、コーヒー提供容器１全体を廃棄処分可能な材料で製作するとよい。面倒な返却を不要にでき、衛生的にも好ましい。
【産業上の利用可能性】
【００１７】
本願考案に係る「ドリンク提供容器」は、仕事や行事など複数人が集まる場面で幅広く利用できる。また、提供するドリンク（例えば、コーヒーなど）の量も参加する人数等に合わせて自由に選択できる（例えば、約１０杯分、約１５杯分、約２０杯分など）。
【符号の説明】
【００１８】
１  コーヒー提供容器
１０  容器本体
１１  注ぎ口
１２  コック
１５  収納スペース
１６  底部
１７  接続孔
２０  袋体
２１  吐出部
２２  底面
３０  保温材
６０  コーヒーカップ
７０  テーブル
【図１】
0003232948.tif 000003
【図２】
0003232948.tif 000004
【図３】
0003232948.tif 000005
【図４】
0003232948.tif 000006
【図５】
0003232948.tif 000007